(57)【特許請求の範囲】
【請求項１】
物体側より像側へ順に配置された、正の屈折力の第１レンズ群、負の屈折力の第２レンズ群、正の屈折力の第３レンズ群、後群より構成され、ズーミングに際して隣り合うレンズ群の間隔が変化するズームレンズであって、
前記後群は、物体側から像側へ順に配置された、負の屈折力の第４レンズ群、正の屈折力の第５レンズ群からなり、または、前記後群は、物体側から像側へ順に配置された、負の屈折力の第４レンズ群、正の屈折力の第５レンズ群、負の屈折力の第６レンズ群からなり、
広角端から望遠端へのズーミングに際して、前記後群に含まれるレンズ群の中で２つ以上のレンズ群が移動し、
広角端における全系の焦点距離をｆｗ、望遠端における全系の焦点距離をｆｔ、広角端から望遠端へのズーミングにおける前記第１レンズ群の光軸上の移動量をＭ１、前記後群に含まれる負の屈折力のレンズ群の中で最も焦点距離の短いレンズ群であるレンズ群Ｌｒｎの焦点距離をｆｒｎ、前記第１レンズ群に含まれる正レンズの、ｄ線を基準とした屈折率の平均値をＮｄａｖｅ１ｐとするとき、
１２．００＜Ｍ１／ｆｗ＜２３．００
−１８．００＜ｆｔ／ｆｒｎ＜−８．３０
１．４００＜Ｎｄａｖｅ１ｐ＜１．５２０
なる条件式を満足することを特徴とするズームレンズ。
【請求項２】
前記第１レンズ群の焦点距離をｆ１とするとき、
０．２０＜ｆ１／ｆｔ＜０．５０
なる条件式を満足することを特徴とする請求項１に記載のズームレンズ。
【請求項３】
前記第１レンズ群の焦点距離をｆ１、前記第２レンズ群の焦点距離をｆ２とするとき、
−１５．００＜ｆ１／ｆ２＜−９．００
なる条件式を満足することを特徴とする請求項１または２に記載のズームレンズ。
【請求項４】
広角端における前記後群の横倍率をβｒｗ、望遠端における前記後群の横倍率をβｒｔとするとき、
１．３０＜βｒｔ／βｒｗ＜２．５０
なる条件式を満足することを特徴とする請求項１乃至３のいずれか１項に記載のズームレンズ。
【請求項５】
前記第１レンズ群の焦点距離をｆ１とするとき、
２０．００＜ｆ１／ｆｗ＜３８．００
なる条件式を満足することを特徴とする請求項１乃至４のいずれか１項に記載のズームレンズ。
【請求項６】
広角端から望遠端へのズーミングにおける前記レンズ群Ｌｒｎの移動量をＭｒｎとするとき、
０．０２５＜Ｍｒｎ／ｆｔ＜０．０７５
なる条件式を満足することを特徴とする請求項１乃至５のいずれか１項に記載のズームレンズ。
【請求項７】
前記第１レンズ群に含まれる正レンズのアッベ数の平均値をνｄａｖｅ１ｐとするとき、
７５．００＜νｄａｖｅ１ｐ＜１００．００
なる条件式を満足することを特徴とする請求項１乃至６のいずれか１項に記載のズームレンズ。
【請求項８】
広角端から望遠端へのズーミングにおける前記第２レンズ群の光軸上の移動量をＭ２とするとき、
−０．１００＜Ｍ２／ｆｔ＜−０．０２５
なる条件式を満足することを特徴とする請求項１乃至７のいずれか１項に記載のズームレンズ。
【請求項９】
前記レンズ群Ｌｒｎは、正レンズと負レンズが接合された接合レンズを含むことを特徴とする請求項１乃至８のいずれか１項に記載のズームレンズ。
【請求項１０】
請求項１乃至９のいずれか１項に記載のズームレンズと、該ズームレンズによって形成される像を受光する固体撮像素子とを有することを特徴とする撮像装置。
【発明の詳細な説明】
【技術分野】
【０００１】
本発明はズームレンズ及びそれを有する撮像装置に関し、例えばデジタルスチルカメラ、ビデオカメラ、監視カメラ、放送用カメラ等の撮像素子を用いた撮像装置、或いは銀塩写真フィルムを用いたカメラ等の撮像装置に好適なものである。
【背景技術】
【０００２】
近年、固体撮像素子を用いたデジタルスチルカメラ、ビデオカメラ等の撮像装置は高機能化され、かつ装置全体が小型化されている。これらの装置に用いられるズームレンズは、小型かつ高倍率であり、良好な光学性能を有することが求められている。こうした要求に応えるべく、物体側より像側へ順に正、負、正の屈折力を有するレンズ群を含むズームレンズが知られている。
【０００３】
特許文献１では、ズーミングに際して第１レンズ群を物体側に大きく移動させることで、９０倍を超える高倍率のズームレンズを実現させている。
【先行技術文献】
【特許文献】
【０００４】
【特許文献１】特開２０１３−１９０７４１号公報
【発明の概要】
【発明が解決しようとする課題】
【０００５】
物体側より像側へ順に正、負、正の屈折力を有するレンズ群を含むズームレンズにおいて、高倍化を実現するために、ズーミングにおける第１レンズ群の物体側への移動量を大きくし過ぎると、レンズ全長が増大する。また、主変倍群である第２レンズ群の屈折力を過度に強くすると、像面湾曲が多く発生する。
【０００６】
本発明は、小型かつ高倍率であり、高い光学性能を有するズームレンズ及びそれを有する撮像装置を提供することを目的とする。
【課題を解決するための手段】
【０００７】
本発明のズームレンズは、物体側より像側へ順に配置された、正の屈折力の第１レンズ群、負の屈折力の第２レンズ群、正の屈折力の第３レンズ群、後群より構成され、ズーミングに際して隣り合うレンズ群の間隔が変化するズームレンズであって、前記後群は、物体側から像側へ順に配置された、負の屈折力の第４レンズ群、正の屈折力の第５レンズ群からなり、または、前記後群は、物体側から像側へ順に配置された、負の屈折力の第４レンズ群、正の屈折力の第５レンズ群、負の屈折力の第６レンズ群からなり、広角端から望遠端へのズーミングに際して、前記後群に含まれるレンズ群の中で２つ以上のレンズ群が移動し、広角端における全系の焦点距離をｆｗ、望遠端における全系の焦点距離をｆｔ、広角端から望遠端へのズーミングにおける前記第１レンズ群の光軸上の移動量をＭ１、前記後群に含まれる負の屈折力のレンズ群の中で最も焦点距離の短いレンズ群であるレンズ群Ｌｒｎの焦点距離をｆｒｎ、前記第１レンズ群に含まれる正レンズの、ｄ線を基準とした屈折率の平均値をＮｄａｖｅ１ｐとするとき、
１２．００＜Ｍ１／ｆｗ＜２３．００
−１８．００＜ｆｔ／ｆｒｎ＜−８．３０
１．４００＜Ｎｄａｖｅ１ｐ＜１．５２０
なる条件式を満足することを特徴とする。
【発明の効果】
【０００８】
本発明によれば、小型かつ高倍率であり、高い光学性能を有するズームレンズ及びそれを有する撮像装置が得られる。
【図面の簡単な説明】
【０００９】
【図１】実施例１のズームレンズの広角端におけるレンズ断面図
【図２】（Ａ）、（Ｂ）、（Ｃ）実施例１のズームレンズの広角端、中間のズーム位置、望遠端における収差図
【図３】実施例２のズームレンズの広角端におけるレンズ断面図
【図４】（Ａ）、（Ｂ）、（Ｃ）実施例２のズームレンズの広角端、中間のズーム位置、望遠端における収差図
【図５】実施例３のズームレンズの広角端におけるレンズ断面図
【図６】（Ａ）、（Ｂ）、（Ｃ）実施例３のズームレンズの広角端、中間のズーム位置、望遠端における収差図
【図７】実施例４のズームレンズの広角端におけるレンズ断面図
【図８】（Ａ）、（Ｂ）、（Ｃ）実施例４のズームレンズの広角端、中間のズーム位置、望遠端における収差図
【図９】実施例５のズームレンズの広角端におけるレンズ断面図
【図１０】（Ａ）、（Ｂ）、（Ｃ）実施例５のズームレンズの広角端、中間のズーム位置、望遠端における収差図
【図１１】実施例６のズームレンズの広角端におけるレンズ断面図
【図１２】（Ａ）、（Ｂ）、（Ｃ）実施例６のズームレンズの広角端、中間のズーム位置、望遠端における収差図
【図１３】実施例７のズームレンズの広角端におけるレンズ断面図
【図１４】（Ａ）、（Ｂ）、（Ｃ）実施例７のズームレンズの広角端、中間のズーム位置、望遠端における収差図
【図１５】実施例８のズームレンズの広角端におけるレンズ断面図
【図１６】（Ａ）、（Ｂ）、（Ｃ）実施例８のズームレンズの広角端、中間のズーム位置、望遠端における収差図
【図１７】本発明の撮像装置の要部概略図
【発明を実施するための形態】
【００１０】
以下、本発明のズームレンズ及びそれを有する撮像装置について、添付の図面に基づいて詳細に説明する。本発明のズームレンズは、物体側より像側へ順に、正の屈折力の第１レンズ群、負の屈折力の第２レンズ群、正の屈折力の第３レンズ群、１以上のレンズ群を含む後群から構成される。ここで、レンズ群は、１枚以上のレンズを有していればよく、必ずしも複数枚のレンズを有していなくてもよい。
【００１１】
図１は実施例１のズームレンズの広角端におけるレンズ断面図である。図２（Ａ）、（Ｂ）、（Ｃ）はそれぞれ実施例１のズームレンズの広角端、中間のズーム位置、望遠端における収差図である。実施例１はズーム比６１．２１、開口比３．５０〜６．６９程度のズームレンズである。図３は実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比６５．３８、開口比３．５０〜６．６９程度のズームレンズである。
【００１２】
図５は実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比７０．１９、開口比３．３０〜６．９０程度のズームレンズである。図７は実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比８１．０７、開口比３．５０〜６．８１程度のズームレンズである。
【００１３】
図９は実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比９９．７６、開口比３．３０〜７．３３程度のズームレンズである。図１１は実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。実施例６はズーム比１００．００、開口比３．３０〜７．３０程度のズームレンズである。
【００１４】
図１３は実施例７のズームレンズの広角端におけるレンズ断面図である。図１４（Ａ）、（Ｂ）、（Ｃ）はそれぞれ実施例７のズームレンズの広角端、中間のズーム位置、望遠端における収差図である。実施例７はズーム比６７．７５、開口比３．５０〜５．８８程度のズームレンズである。図１５は実施例８のズームレンズの広角端におけるレンズ断面図である。図１６（Ａ）、（Ｂ）、（Ｃ）はそれぞれ実施例８のズームレンズの広角端、中間のズーム位置、望遠端における収差図である。実施例８はズーム比７５．００、開口比３．３０〜６．９０程度のズームレンズである。
【００１５】
図１７は本発明のズームレンズを備えるデジタルスチルカメラ（撮像装置）の要部概略図である。各実施例のズームレンズはビデオカメラやデジタルスチルカメラ、銀塩フィルムカメラ、テレビカメラ等の撮像装置に用いられる撮影レンズ系である。レンズ断面図において左方が物体側（前方）で、右方が像側（後方）である。またレンズ断面図において、ｉを物体側から像側へのレンズ群の順番とするとＬｉは第ｉレンズ群を示す。
【００１６】
実施例１乃至７のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５から成る。実施例１乃至７は５つのレンズ群から成るポジティブリード型の５群ズームレンズであり、後群は、負の屈折力の第４レンズ群Ｌ４と正の屈折力の第５レンズ群Ｌ５から成る。
【００１７】
実施例８のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、負の屈折力の第６レンズ群Ｌ６から成る。実施例８は６つのレンズ群から成るポジティブリード型の６群ズームレンズであり、後群は、負の屈折力の第４レンズ群Ｌ４と正の屈折力の第５レンズ群Ｌ５と負の屈折力の第６レンズ群から成る。
【００１８】
各実施例において、ＳＰは開口絞りであり、開口絞りＳＰは、第２レンズ群Ｌ２と第３レンズ群Ｌ３の間に配置される。広角端から望遠端へのズーミングに際して、開口絞りＳＰは、広角端に比べて望遠端において物体側に位置するように、各レンズ群とは異なる軌跡で移動する。これにより、入射瞳位置を物体側に移動させることができるため、前玉有効径の小型化を図ることができる。
【００１９】
Ｇは光学フィルター、フェースプレート、ローパスフィルター、赤外カットフィルター等に相当する光学ブロックである。ＩＰは像面である。ビデオカメラやデジタルカメラの撮像光学系としてズームレンズを使用する際には、像面ＩＰはＣＣＤセンサやＣＭＯＳセンサといった固体撮像素子（光電変換素子）に相当する。銀塩フィルムカメラの撮像光学系としてズームレンズを使用する際には、像面ＩＰはフィルム面に相当する。
【００２０】
球面収差図においてＦｎｏはＦナンバーであり、ｄ線（波長５８７．６ｎｍ）、ｇ線（波長４３５．８ｎｍ）に対する球面収差を示している。非点収差図においてΔＳはサジタル像面、ΔＭはメリディオナル像面である。歪曲収差はｄ線について示している。色収差図ではｇ線における色収差を示している。ωは撮像半画角である。
【００２１】
各実施例では、レンズ断面図中の矢印で示すように、広角端から望遠端へのズーミングに際してレンズ群が移動し、隣り合うレンズ群の間隔が変化する。具体的には、各実施例において、広角端から望遠端へのズーミングに際して、第１レンズ群Ｌ１は像側へ凸状の軌跡を描くように移動する。第２レンズ群Ｌ２は、広角端に比べて望遠端において、像側に位置するように移動する。第３レンズ群Ｌ３は、広角端に比べて望遠端において、物体側に位置するように移動する。第４レンズ群Ｌ４は、広角端に比べて望遠端において、物体側に位置するように移動する。第５レンズ群Ｌ５は、広角端に比べて望遠端において、像側に位置するように移動する。実施例８のズームレンズでは、第６レンズ群Ｌ６は、広角端から望遠端へのズーミングに際して物体側に移動する。
【００２２】
各実施例において、広角端から望遠端へのズーミングに際して、後群に含まれるレンズ群の中で２つ以上のレンズ群が移動する。これにより、後群における変倍作用を大きくすることができ、ズームレンズを容易に高倍化することができる。
【００２３】
各実施例では、第２レンズ群Ｌ２の変倍負担を比較的大きくしている。これにより、望遠端における第１レンズ群Ｌ１の物体側への繰り出し量を大きくすることなく、高倍化を実現することができる。また、第２レンズ群Ｌ２の屈折力を比較的強くすることにより、広角化を実現している。
【００２４】
また、各実施例では、開口絞りＳＰと第３レンズ群Ｌ３との間隔が、広角端に比べて望遠端において小さくなるように、ズーミングに際して開口絞りＳＰを各レンズ群とは異なる軌跡で移動させている。これにより、入射瞳位置を物体側に移動させることができるため、第１レンズ群Ｌ１や第２レンズ群Ｌ２を通過する軸外光線の入射高を低くすることができる。その結果、前玉有効径を小型化することができる。
【００２５】
実施例８では、ズーミングに際して第６レンズ群Ｌ６を物体側に移動させることで、全ズーム領域において像面湾曲を良好に補正することができる。
【００２６】
また、各実施例において、第５レンズ群Ｌ５をフォーカスレンズ群としている。各実施例では、望遠端において無限遠物体から近距離物体へフォーカシングを行う場合には、レンズ断面の矢印５ｃに示すように、第５レンズ群Ｌ５を物体側に移動させている。レンズ断面図中の実線５ａと点線５ｂは各々、無限遠物体と近距離物体にフォーカスしているときに、広角端から望遠端へのズーミングに伴う像面変動を補正するための移動軌跡を示している。
【００２７】
また、各実施例では、第３レンズ群Ｌ３の全体または一部を、光軸と垂直方向の成分を持つように移動させることで、像ぶれの補正を行っている。
【００２８】
各実施例のズームレンズは、
１２．００＜Ｍ１／ｆｗ＜２３．００…（１）
−１８．００＜ｆｔ／ｆｒｎ＜−８．３０…（２）
なる条件式を満足する。
【００２９】
ここで、広角端から望遠端へのズーミングにおける第１レンズ群Ｌ１の光軸上の移動量をＭ１、広角端における全系の焦点距離をｆｗ、望遠端における全系の焦点距離をｆｔとする。また、後群に含まれる負の屈折力を有するレンズ群の中で最も屈折力が強いレンズ群Ｌｒｎの焦点距離をｆｒｎとする。ここで、後群に含まれる負の屈折力を有するレンズ群が１つの場合は、該レンズ群がレンズ群Ｌｒｎに相当する。ここで、移動量とは、広角端と望遠端における各レンズ群の光軸上での位置の差であり、移動量の符号は広角端に比べて望遠端で物体側に位置するときを正、像側に位置するときを負とする。
【００３０】
条件式（１）は、広角端における全系の焦点距離ｆｗと、広角端から望遠端へのズーミングにおける第１レンズ群Ｌ１の移動量Ｍ１の比を規定したものである。
【００３１】
条件式（１）の上限値を超えて、第１レンズ群Ｌ１の移動量Ｍ１が大きくなると、望遠端におけるレンズ全長が増大するため好ましくない。また、周辺光量を十分に確保するために前玉の有効径が大型化してしまう。
【００３２】
条件式（１）の下限値を超えて、第１レンズ群Ｌ１の移動量Ｍ１が小さくなると、高倍化を実現するために第１レンズ群Ｌ１の屈折力を強める必要が生じる。その結果、第１レンズ群において色収差が多く発生するため好ましくない。
【００３３】
条件式（２）は、レンズ群Ｌｒｎの焦点距離ｆｒｎと、望遠端における全系の焦点距離をｆｔの比を規定したものである。
【００３４】
条件式（２）の上限値を超えて、レンズ群Ｌｒｎの焦点距離ｆｒｎが長くなると、レンズ群Ｌｒｎの屈折力が弱くなり過ぎる。その結果、後群における変倍作用が小さくなり、ズームレンズ全系としての高倍化を実現することが困難になるため、好ましくない。
【００３５】
条件式（２）の下限値を超えて、レンズ群Ｌｒｎの焦点距離ｆｒｎが短くなると、レンズ群Ｌｒｎの屈折力が強くなり過ぎる。その結果、後群において生じる諸収差を十分に補正することが困難になるため、好ましくない。
【００３６】
なお、各実施例において、好ましくは、条件式（１）及び（２）の数値範囲を次のように設定するのが良い。
１２．５０＜Ｍ１／ｆｗ＜２２．００…（１ａ）
−１７．５０＜ｆｔ／ｆｒｎ＜−８．３０…（２ａ）
【００３７】
また、さらに好ましくは、条件式（１）及び（２）の数値範囲を次のように設定するのが良い。
１３．００＜Ｍ１／ｆｗ＜２１．００…（１ｂ）
−１７．００＜ｆｔ／ｆｒｎ＜−８．３０…（２ｂ）
【００３８】
さらに、各実施例において、次の条件式のうち１つ以上を満足することがより好ましい。
０．２０＜ｆ１／ｆｔ＜０．５０…（３）
−１５．００＜ｆ１／ｆ２＜−９．００…（４）
１．３０＜βｒｔ／βｒｗ＜２．５０…（５）
２０．００＜ｆ１／ｆｗ＜３８．００…（６）
０．０２５＜Ｍｒｎ／ｆｔ＜０．０７５…（７）
１．４００＜Ｎｄａｖｅ１ｐ＜１．５２０…（８）
７５．００＜νｄａｖｅ１ｐ＜１００．００…（９）
−０．１００＜Ｍ２／ｆｔ＜−０．０２５…（１０）
【００３９】
ここで、第１レンズ群Ｌ１の焦点距離をｆ１、第２レンズ群Ｌ２の焦点距離をｆ２、広角端における後群全体の横倍率をβｒｗ、望遠端における後群全体の横倍率をβｒｔ、ズーミングにおける第２レンズ群Ｌ２の移動量をＭ２とする。また、ズーミングにおけるレンズ群Ｌｒｎの移動量をＭｒｎ、第１レンズ群Ｌ１に含まれる正レンズの材料の、ｄ線を基準とした屈折率の平均値をＮｄａｖｅ１ｐ、アッベ数の平均値をνｄａｖｅ１ｐとする。
【００４０】
条件式（３）の上限値を超えて、第１レンズ群Ｌ１の焦点距離ｆ１が長くなると、第１レンズ群Ｌ１の屈折力が弱くなり過ぎる。その結果、高倍化を実現するために、ズーミングにおける第１レンズ群Ｌ１の移動量を大きくする必要が生じ、レンズ全長が増大するため好ましくない。
【００４１】
条件式（３）の下限値を超えて、第１レンズ群Ｌ１の焦点距離ｆ１が短くなると、第１レンズ群Ｌ１の屈折力が強くなり過ぎる。その結果、望遠側において第１レンズ群Ｌ１で発生する色収差が増大するため、好ましくない。
【００４２】
条件式（４）の上限値を超えて、第１レンズ群Ｌ１の焦点距離ｆ１が短くなると、第１レンズ群Ｌ１の屈折力が強くなり過ぎる。その結果、望遠側において第１レンズ群Ｌ１で発生する色収差が増大するため、好ましくない。また、条件式（４）の上限値を超えて、第２レンズ群Ｌ２の焦点距離ｆ２が長くなると、第２レンズ群Ｌ２の屈折力が弱くなり過ぎる。その結果、第２レンズ群Ｌ２の変倍作用が小さくなり、高倍化を実現することが困難になるため、好ましくない。
【００４３】
条件式（４）の下限値を超えて、第１レンズ群Ｌ１の焦点距離ｆ１が長くなると、第１レンズ群Ｌ１の屈折力が弱くなり過ぎる。その結果、高倍化を実現するために、ズーミングにおける第１レンズ群Ｌ１の移動量を大きくする必要が生じ、レンズ全長が増大するため好ましくない。また、条件式（４）の下限値を超えて、第２レンズ群Ｌ２の焦点距離ｆ２が短くなると、第２レンズ群Ｌ２の屈折力が強くなり過ぎる。その結果、像面湾曲が増大するため好ましくない。
【００４４】
条件式（５）の上限値を超えて後群の変倍分担が大きくなると、後群で発生する諸収差が増大し、こうした収差を補正するために、後群を構成するレンズの枚数を増やす必要が生じる。その結果、レンズ全長が増大するため好ましくない。
【００４５】
条件式（５）の下限値を超えて後群の変倍分担が小さくなると、高倍化を実現するために、第２レンズ群Ｌ２や第３レンズ群Ｌ３の変倍分担を大きくする必要が生じる。第２レンズ群Ｌ２の変倍分担が大きくなり過ぎると、像面湾曲が増大するため好ましくない。また、第３レンズ群Ｌ３の変倍分担が大きくなり過ぎると、球面収差や軸上色収差が多く発生するため好ましくない。
【００４６】
条件式（６）の上限値を超えて、第１レンズ群Ｌ１の焦点距離が長くなると、第１レンズ群Ｌ１の屈折力が弱くなり過ぎる。その結果、高倍化を実現するために、ズーミングにおける第１レンズ群Ｌ１の移動量を大きくする必要が生じ、レンズ全長が増大するため好ましくない。
【００４７】
条件式（６）の下限値を超えて、第１レンズ群Ｌ１の焦点距離ｆ１が短くなると、第１レンズ群Ｌ１の屈折力が強くなり過ぎる。その結果、広角端において周辺光量を十分に確保することが困難になるため、好ましくない。また、条件式（６）の下限値を超えて、広角端における全系の焦点距離ｆｗが長くなると、高倍化を実現することが困難になるため好ましくない。
【００４８】
条件式（７）の上限値を超えて、レンズ群Ｌｒｎの移動量Ｍｒｎが大きくなると、望遠端において、レンズ群Ｌｒｎと、レンズ群Ｌｒｎの物体側に配置されたレンズ群との間隔が小さくなり、後群の変倍作用が小さくなる。その結果、高倍化を実現することが困難になるため好ましくない。
【００４９】
条件式（７）の下限値を超えて、レンズ群Ｌｒｎの移動量Ｍｒｎが小さくなると、望遠端において、レンズ群Ｌｒｎと、レンズ群Ｌｒｎの物体側に配置されたレンズ群との間隔が大きくなり、レンズ全長が増大するため好ましくない。
【００５０】
条件式（８）及び（９）は、第１レンズ群Ｌ１に含まれる正レンズの材料を規定したものである。
【００５１】
条件式（８）の上限値を超えて、第１レンズ群Ｌ１に含まれる正レンズの材料の、ｄ線を基準とした屈折率の平均値Ｎｄａｖｅ１ｐが高くなると、条件式（９）を満足する範囲で選択可能な材料が限定されるため、好ましくない。
【００５２】
条件式（８）の下限値を超えて、第１レンズ群Ｌ１に含まれる正レンズの材料の、ｄ線を基準とした屈折率の平均値Ｎｄａｖｅ１ｐが低くなると、正の屈折力を保持するために、第１レンズ群Ｌ１に含まれる正レンズの曲率を大きくする必要が生じる。その結果、望遠端におけるコマ収差が多く発生するため、好ましくない。
【００５３】
条件式（９）の上限値を超えて、第１レンズ群Ｌ１に含まれる正レンズの材料のアッベ数の平均値νｄａｖｅ１ｐが高くなると、条件式（８）を満足する範囲で選択可能な材料が限定されるため、好ましくない。
【００５４】
条件式（９）の下限値を超えて、第１レンズ群Ｌ１に含まれる正レンズの材料のアッベ数の平均値νｄａｖｅ１ｐが低くなると、望遠端における軸上色収差を十分に補正することが困難になるため、好ましくない。
【００５５】
条件式（１０）の上限値を超えて、第２レンズ群Ｌ２の移動量Ｍ２が大きくなると、広角端におけるレンズ全長が増大するため好ましくない。
【００５６】
条件式（１０）の下限値を超えて、第２レンズ群Ｌ２の移動量Ｍ２が小さくなると、高倍化を実現するために、第２レンズ群Ｌ２の屈折力を強める必要が生じる。その結果、像面湾曲を十分に補正することが困難になるため、好ましくない。
【００５７】
好ましくは、条件式（３）〜（１０）の数値範囲を次のように設定するのが良い。
０．２３＜ｆ１／ｆｔ＜０．４５…（３ａ）
−１４．５０＜ｆ１／ｆ２＜−９．５０…（４ａ）
１．３３＜βｒｔ／βｒｗ＜２．２０…（５ａ）
２１．００＜ｆ１／ｆｗ＜３５．００…（６ａ）
０．０３２＜Ｍｒｎ／ｆｔ＜０．０７３…（７ａ）
１．４１０＜Ｎｄａｖｅ１ｐ＜１．５１０…（８ａ）
７８．００＜νｄａｖｅ１ｐ＜９８．００…（９ａ）
−０．０９５＜Ｍ２／ｆｔ＜−０．０３０…（１０ａ）
【００５８】
なお、さらに好ましくは、条件式（３）〜（１０）の数値範囲を次のように設定するのが良い。
０．２５＜ｆ１／ｆｔ＜０．４０…（３ｂ）
−１３．００＜ｆ１／ｆ２＜−１０．００…（４ｂ）
１．３５＜βｒｔ／βｒｗ＜２．００…（５ｂ）
２２．００＜ｆ１／ｆｗ＜３２．００…（６ｂ）
０．０４０＜Ｍｒｎ／ｆｔ＜０．０７０…（７ｂ）
１．４２０＜Ｎｄａｖｅ１ｐ＜１．５００…（８ｂ）
８０．００＜νｄａｖｅ１ｐ＜９５．００…（９ｂ）
−０．０９０＜Ｍ２／ｆｔ＜−０．０３５…（１０ｂ）
【００５９】
続いて、各レンズ群の構成について説明する。実施例１乃至３、７、８のズームレンズにおいては、第１レンズ群Ｌ１は、物体側から像側へ順に、負レンズ、正レンズ、正レンズから成る。実施例５及び６のズームレンズにおいては、物体側から像側へ順に、負レンズ、正レンズ、正レンズ、正レンズから成る。実施例４のズームレンズにおいては、物体側から像側へ順に、負レンズ、負レンズ、正レンズ、正レンズから成る。
【００６０】
正レンズと負レンズをそれぞれ１枚以上含むように第１レンズ群Ｌ１を構成することで、望遠端における色収差を良好に補正することができる。
【００６１】
実施例１乃至６、８のズームレンズにおいて、第２レンズ群Ｌ２は、物体側から像側へ順に、負レンズ、負レンズ、負レンズ、正レンズから成る。実施例７のズームレンズにおいて、第２レンズ群Ｌ２は、物体側から像側へ順に、負レンズ、負レンズ、正レンズから成る。少なくとも２枚の負レンズと、正レンズを含むように第２レンズ群Ｌ２を構成することで、広角端における像面湾曲や倍率色収差を良好に補正することができる。
【００６２】
各実施例において、第３レンズ群Ｌ３は、物体側から像側へ順に、正レンズ、負レンズ、負レンズと正レンズが接合された接合レンズから成る。このようなレンズ構成は、トリプレット型のレンズ構成にレンズを１枚追加したものであり、テッサータイプと呼ばれる。各実施例では、第３レンズ群の構成をテッサータイプとすることにより、ペッツバール和の調整を簡易に行うことができ、全ズーム領域において像面の平坦性を確保することができる。
【００６３】
各実施例において、第４レンズ群Ｌ４は、物体側から像側へ順に、負レンズ、正レンズから成り、負レンズと正レンズは接合レンズを構成している。１枚の正レンズと１枚の負レンズにより第４レンズ群Ｌ４を構成することで、レンズ枚数を増やすことなく、第４レンズ群Ｌ４において発生する色収差を良好に補正することができる。
【００６４】
各実施例において、第５レンズ群Ｌ５は、物体側から像側へ順に、正レンズ、負レンズから成り、正レンズと負レンズは接合レンズを構成している。１枚の正レンズと１枚の負レンズにより第５レンズ群Ｌ５を構成することで、レンズ枚数を増やすことなく、第５レンズ群Ｌ５において発生する色収差を良好に補正することができる。
【００６５】
また、実施例６において、第６レンズ群Ｌ６は、１枚の負レンズから成る。
【００６６】
次に、本発明の実施例１〜８にそれぞれ対応する数値実施例１〜８を示す。各数値実施例において、ｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００６７】
またＫを離心率、Ａ４、Ａ６、Ａ８を非球面係数、光軸からの高さｈの位置での光軸方向の変位を面頂点を基準にしてｘとするとき、非球面形状は、
ｘ＝（ｈ２／Ｒ）／［１＋［１−（１＋Ｋ）（ｈ／Ｒ）２］１／２］＋Ａ４ｈ４＋Ａ６ｈ６＋Ａ８ｈ８
で表示される。但しＲは近軸曲率半径である。また「ｅ−Ｚ」の表示は「１０−Ｚ」を意味する。
【００６８】
各実施例において、バックフォーカス（ＢＦ）は、レンズ系の最も像側の面から像面までの距離を、空気換算長により表したものである。また、各数値実施例における上述した条件式との対応を表１に示す。
【００６９】
なお、広角端における有効像円径（イメージサークルの直径）を、望遠端における有効像円径に比べて小さくすることができる。これは、画像処理によって画像を引き伸ばすことで、広角側において発生しやすい樽型の歪曲収差を補正することができるためである。
【００７０】
［数値実施例１］
単位 mm
面データ
面番号       r        d        nd       νd
1         92.694    1.50   1.91082    35.3
2         51.880    5.37   1.49700    81.5
3       -352.628    0.05
4         47.383    4.03   1.49700    81.5
5        227.889   (可変)
6        254.189    0.70   1.83481    42.7
7          8.179    3.90
8        -69.344    0.55   1.80400    46.6
9         69.344    1.35
10        -26.448    0.55   1.83481    42.7
11        124.436    0.05
12         24.466    1.71   1.95906    17.5
13       -190.981   (可変)
14(絞り)    ∞      (可変)
15*         9.650    2.85   1.55332    71.7
16*       -59.993    1.69
17         28.170    0.50   1.77250    49.6
18          9.203    0.52
19         12.064    0.50   1.80518    25.4
20          8.364    3.79   1.49700    81.5
21        -22.277   (可変)
22       -139.087    0.35   1.77250    49.6
23          8.370    1.36   1.68893    31.1
24         26.638   (可変)
25         20.410    2.76   1.65844    50.9
26        -19.710    0.46   1.95906    17.5
27        -36.854   (可変)
28          ∞       1.00   1.51633    64.1
29          ∞       1.40
像面        ∞
非球面データ
第15面
K = 0.00000e+000  A 4=-1.05773e-004  A 6=-2.88334e-006  A 8=-3.31303e-008
第16面
K = 0.00000e+000  A 4= 3.98179e-005  A 6=-3.82062e-006
各種データ
ズーム比     61.21
広角     中間     望遠
焦点距離       3.91    30.61   239.59
Fナンバー      3.50     5.70     6.69
半画角        39.07     7.21     0.93
像高           3.18     3.88     3.88
レンズ全長    97.23   129.86   148.23
BF            11.06    18.18     9.53
d 5            0.75    42.64    67.27
d13           33.13     7.03     0.63
d14           12.42     5.29     0.46
d21            2.10     8.67    14.85
d24            3.22    13.51    20.95
d27            9.00    16.12     7.47
ズームレンズ群データ
群  始面    焦点距離
1    1      86.46
2    6      -8.43
3   15      16.66
4   22     -23.94
5   25      23.62
【００７１】
［数値実施例２］
単位 mm
面データ
面番号       r        d        nd       νd
1         93.232    1.40   1.91082    35.3
2         52.771    5.37   1.49700    81.5
3       -420.406    0.05
4         48.381    4.03   1.49700    81.5
5        216.694   (可変)
6        229.850    0.70   1.83481    42.7
7          8.332    3.90
8        -70.021    0.55   1.80400    46.6
9         70.021    1.35
10        -24.945    0.55   1.83481    42.7
11        121.408    0.05
12         25.636    1.71   1.95906    17.5
13       -151.151   (可変)
14(絞り)    ∞      (可変)
15*         9.885    2.80   1.55332    71.7
16*       -53.041    1.88
17         26.863    0.50   1.77250    49.6
18          9.379    0.48
19         11.452    0.50   1.80518    25.4
20          8.167    3.70   1.49700    81.5
21        -18.467   (可変)
22        -82.609    0.35   1.77250    49.6
23          7.654    1.30   1.68893    31.1
24         16.606   (可変)
25         21.561    2.76   1.65844    50.9
26        -16.819    0.46   1.95906    17.5
27        -26.253   (可変)
28          ∞       1.00   1.51633    64.1
29          ∞       1.40
像面        ∞
非球面データ
第15面
K = 0.00000e+000  A 4=-8.86670e-005  A 6= 5.68922e-007  A 8=-5.36819e-008
第16面
K = 0.00000e+000  A 4= 8.46965e-005  A 6= 6.80374e-007  A 8=-5.79594e-008
各種データ
ズーム比     65.38
広角     中間     望遠
焦点距離       3.90    31.53   255.00
Fナンバー      3.50     5.70     6.69
半画角        39.17     7.01     0.87
像高           3.18     3.88     3.88
レンズ全長    97.33   130.58   148.44
BF            11.06    12.11     7.47
d 5            0.75    44.84    70.29
d13           32.86     3.70     0.66
d14           13.38    10.44     0.56
d21            2.00     8.32    12.76
d24            2.88    16.77    22.31
d27            9.00    10.05     5.41
ズームレンズ群データ
群  始面    焦点距離
1    1      90.13
2    6      -8.34
3   15      15.01
4   22     -16.00
5   25      20.78
【００７２】
［数値実施例３］
単位 mm
面データ
面番号       r        d        nd       νd
1        109.566    1.50   1.91082    35.3
2         63.355    0.95
3         78.055    4.20   1.49700    81.5
4       -323.701    0.05
5         46.999    4.95   1.43875    94.9
6        474.045   (可変)
7       -183.661    0.69   1.83481    42.7
8          9.222    3.70
9        -42.014    0.55   1.80400    46.6
10        119.053    1.67
11        -17.906    0.55   1.83481    42.7
12        -50.713    0.05
13         41.805    1.71   1.95906    17.5
14        -61.232   (可変)
15(絞り)    ∞      (可変)
16*        10.412    2.76   1.55332    71.7
17*      -281.013    2.23
18         28.652    0.50   1.77250    49.6
19          9.941    0.45
20         12.685    0.50   1.80518    25.4
21          9.079    3.68   1.49700    81.5
22        -21.396   (可変)
23        -87.387    0.35   1.77250    49.6
24         11.174    1.25   1.67270    32.1
25         47.322   (可変)
26         23.524    2.80   1.74320    49.3
27        -21.546    0.46   1.95906    17.5
28        -44.702   (可変)
29          ∞       1.00   1.51633    64.1
30          ∞       1.40
像面        ∞
非球面データ
第16面
K = 0.00000e+000  A 4=-3.46811e-005  A 6=-1.80893e-006  A 8=-9.81749e-009
第17面
K = 0.00000e+000  A 4= 7.91618e-005  A 6=-2.38849e-006
各種データ
ズーム比     70.19
広角     中間     望遠
焦点距離       3.69    30.91   259.00
Fナンバー      3.30     5.70     6.90
半画角        38.45     7.14     0.86
像高           2.93     3.88     3.88
レンズ全長   104.28   138.11   164.83
BF            11.06    17.21     7.34
d 6            0.65    47.56    76.12
d14           44.87     5.40     0.62
d15            5.04     5.94     0.46
d22            2.12    13.04    22.37
d25            4.99    13.43    22.37
d28            9.00    15.15     5.28
ズームレンズ群データ
群  始面    焦点距離
1    1      96.59
2    7      -8.98
3   16      18.33
4   23     -31.04
5   26      23.62
【００７３】
［数値実施例４］
単位 mm
面データ
面番号       r        d        nd       νd
1         80.767    1.50   1.80610    33.3
2         60.513    1.30
3         81.836    1.48   1.88300    40.8
4         65.177    4.60   1.49700    81.5
5       3036.621    0.05
6         49.663    4.70   1.43875    94.9
7        597.822   (可変)
8        253.729    0.69   1.83481    42.7
9          8.113    4.40
10        -38.015    0.55   1.80400    46.6
11        355.340    1.60
12        -15.804    0.55   1.83481    42.7
13        -58.040    0.05
14         43.043    1.71   1.95906    17.5
15        -52.459   (可変)
16(絞り)    ∞      (可変)
17*        10.449    2.68   1.55332    71.7
18*      -204.427    2.29
19         26.739    0.50   1.77250    49.6
20          9.886    0.45
21         12.272    0.50   1.80518    25.4
22          8.791    3.68   1.49700    81.5
23        -19.720   (可変)
24        -77.639    0.35   1.77250    49.6
25         10.497    1.34   1.68893    31.1
26         35.854   (可変)
27         22.185    2.80   1.65844    50.9
28        -16.540    0.46   1.95906    17.5
29        -28.438   (可変)
30          ∞       1.00   1.51633    64.1
31          ∞       1.40
像面        ∞
非球面データ
第17面
K = 0.00000e+000  A 4=-4.37613e-005  A 6= 1.04659e-006  A 8=-3.85362e-008
第18面
K = 0.00000e+000  A 4= 8.26959e-005  A 6= 1.06108e-006  A 8=-4.27977e-008
各種データ
ズーム比     81.07
広角     中間     望遠
焦点距離       3.38    30.43   274.00
Fナンバー      3.50     5.70     6.81
半画角        40.92     7.26     0.81
像高           2.93     3.88     3.88
レンズ全長   103.73   145.97   173.73
BF            11.06    14.73     8.10
d 7            0.59    51.96    84.48
d15           32.52     2.17     0.62
d16           15.12     9.21     0.46
d23            1.68    12.94    21.62
d26            4.53    16.74    20.21
d29            9.00    12.67     6.04
ズームレンズ群データ
群  始面    焦点距離
1    1     105.33
2    8      -8.13
3   17      17.21
4   24     -26.70
5   27      22.55
【００７４】
［数値実施例５］
単位 mm
面データ
面番号       r        d        nd       νd
1        110.990    1.45   1.91082    35.3
2         68.442    4.60   1.43875    94.9
3        278.649    0.05
4         95.063    4.40   1.43875    94.9
5       -711.794    0.05
6         60.097    4.40   1.43875    94.9
7        186.342   (可変)
8       -334.745    0.69   1.83481    42.7
9          9.091    4.20
10        -33.978    0.55   1.80400    46.6
11         99.713    1.70
12        -17.217    0.55   1.83481    42.7
13        -54.641    0.05
14         54.907    1.71   1.95906    17.5
15        -43.318   (可変)
16(絞り)    ∞      (可変)
17*        10.638    3.50   1.55332    71.7
18*       -88.378    1.86
19         26.571    0.50   1.77250    49.6
20         10.345    0.44
21         12.157    0.50   1.80518    25.4
22          8.906    3.65   1.45600    90.3
23        -17.988   (可変)
24       -608.977    0.35   1.77250    49.6
25          7.642    1.25   1.67270    32.1
26         20.430   (可変)
27         22.032    2.80   1.74320    49.3
28        -17.550    0.46   1.95906    17.5
29        -34.185   (可変)
30          ∞       1.00   1.51633    64.1
31          ∞       1.40
像面        ∞
非球面データ
第17面
K = 0.00000e+000  A 4=-6.91642e-005  A 6=-5.84855e-007  A 8=-4.40916e-009
第18面
K = 0.00000e+000  A 4= 7.44965e-005  A 6=-8.56635e-007  A 8= 6.78988e-010
各種データ
ズーム比     99.76
広角     中間     望遠
焦点距離       3.50    34.95   349.15
Fナンバー      3.30     5.90     7.33
半画角        40.45     6.33     0.64
像高           2.98     3.88     3.88
レンズ全長   105.21   146.41   170.23
BF            10.71    17.37     3.44
d 7            0.65    54.30    79.57
d15           43.84     4.31     0.60
d16            4.48     5.58     0.49
d23            2.10    11.38    18.07
d26            3.72    13.75    28.35
d29            8.65    15.31     1.38
ズームレンズ群データ
群  始面    焦点距離
1    1     101.25
2    8      -8.25
3   17      16.61
4   24     -21.00
5   27      20.62
【００７５】
［数値実施例６］
単位 mm
面データ
面番号       r        d        nd       νd
1        107.849    1.45   1.91082    35.3
2         66.919    4.60   1.43875    94.9
3        290.617    0.05
4         89.823    4.30   1.43875    94.9
5       -971.001    0.05
6         58.981    4.40   1.43875    94.9
7        181.843   (可変)
8       8028.990    0.69   1.83481    42.7
9          8.729    4.20
10        -38.448    0.55   1.80400    46.6
11        155.694    1.70
12        -16.734    0.55   1.83481    42.7
13        -63.456    0.05
14         51.187    1.71   1.95906    17.5
15        -43.656   (可変)
16(絞り)    ∞      (可変)
17*        10.653    3.50   1.55332    71.7
18*      -113.546    1.98
19         26.478    0.50   1.77250    49.6
20         10.256    0.44
21         12.235    0.50   1.80518    25.4
22          8.711    3.65   1.45600    90.3
23        -21.088   (可変)
24       -109.906    0.35   1.77250    49.6
25          8.692    1.25   1.67270    32.1
26         40.178   (可変)
27         21.785    2.80   1.74320    49.3
28        -19.604    0.46   1.95906    17.5
29        -41.971   (可変)
30          ∞       1.00   1.51633    64.1
31          ∞       1.40
像面        ∞
非球面データ
第17面
K = 0.00000e+000  A 4=-7.62681e-005  A 6=-1.35038e-006  A 8=-7.47938e-009
第18面
K = 0.00000e+000  A 4= 3.66618e-005  A 6=-1.90867e-006  A 8= 4.01731e-009
各種データ
ズーム比    100.00
広角     中間     望遠
焦点距離       3.48    34.81   348.00
Fナンバー      3.30     5.90     7.30
半画角        40.61     6.35     0.64
像高           2.98     3.88     3.88
レンズ全長   105.73   145.22   168.83
BF            10.71    19.85     3.62
d 7            0.50    52.11    76.87
d15           43.22     4.09     0.62
d16            5.99     5.63     0.45
d23            2.54    12.46    20.80
d26            3.04    11.35    26.74
d29            8.65    17.79     1.56
ズームレンズ群データ
群  始面    焦点距離
1    1      98.00
2    8      -8.42
3   17      18.05
4   24     -28.15
5   27      22.13
【００７６】
［数値実施例７］
単位 mm
面データ
面番号       r        d        nd       νd
1         81.397    1.45   1.91082    35.3
2         51.660    5.65   1.49700    81.5
3      -1354.043    0.05
4         50.644    4.36   1.43875    94.9
5        240.463   (可変)
6        214.814    0.75   1.83481    42.7
7          8.494    5.44
8*       -20.911    0.50   1.88202    37.2
9         37.005    0.16
10         24.128    2.25   1.95906    17.5
11       -101.151   (可変)
12(絞り)    ∞      (可変)
13*        10.776    2.56   1.59201    67.0
14*        92.245    1.38
15         19.755    0.50   1.83481    42.7
16         11.692    0.23
17         15.143    0.50   1.88300    40.8
18          9.198    2.92   1.49700    81.5
19        -16.681   (可変)
20       -316.197    0.50   1.83481    42.7
21         10.864    1.34   1.59270    35.3
22         26.493   (可変)
23         22.151    2.98   1.69680    55.5
24        -16.075    0.50   2.00069    25.5
25        -29.742   (可変)
像面        ∞
非球面データ
第8面
K = 0.00000e+000  A 4= 1.75754e-005  A 6= 2.72897e-007  A 8=-1.65454e-009
第13面
K = 4.60947e-001  A 4=-9.93967e-005  A 6=-1.75955e-006  A 8=-1.07588e-008
第14面
K = 0.00000e+000  A 4= 7.67867e-005  A 6=-1.79385e-006  A 8= 4.70185e-009
各種データ
ズーム比     67.75
広角     中間     望遠
焦点距離       3.69    30.39   250.00
Fナンバー      3.50     4.50     5.88
半画角        40.73     7.27     0.89
像高           3.18     3.88     3.88
レンズ全長   102.99   132.57   156.92
BF            10.39    19.45     7.69
d 5            0.76    47.50    75.59
d11           32.26     1.95     2.30
d12           18.16     9.65     0.45
d19            3.79     9.61    13.31
d22            3.61    10.39    23.56
d25           10.39    19.45     7.69
ズームレンズ群データ
群  始面    焦点距離
1    1      96.44
2    6      -8.65
3   13      16.23
4   20     -20.92
5   23      22.09
【００７７】
［数値実施例８］
単位 mm
面データ
面番号       r        d      nd         νd
1        109.240    1.50   1.91082    35.3
2         63.423    0.95
3         77.510    4.20   1.49700    81.5
4       -372.197    0.05
5         47.699    4.95   1.43875    94.9
6        490.395   (可変)
7       -481.139    0.69   1.83481    42.7
8          9.025    3.70
9        -67.315    0.55   1.80400    46.6
10         89.965    1.67
11        -18.310    0.55   1.83481    42.7
12        -77.206    0.05
13         36.670    1.71   1.95906    17.5
14        -73.395   (可変)
15(絞り)    ∞      (可変)
16*        10.354    2.76   1.55332    71.7
17*      -540.608    2.27
18         29.469    0.50   1.77250    49.6
19          9.977    0.45
20         12.500    0.50   1.80518    25.4
21          9.075    3.68   1.49700    81.5
22        -20.052   (可変)
23        -57.514    0.35   1.77250    49.6
24         10.615    1.25   1.67270    32.1
25         59.741   (可変)
26         23.478    2.80   1.74320    49.3
27        -17.217    0.46   1.95906    17.5
28        -32.674   (可変)
29        -33.000    0.50   1.51633    64.1
30        -94.500   (可変)
31          ∞       1.00   1.51633    64.1
32          ∞       0.40
像面        ∞
非球面データ
第16面
K = 0.00000e+000  A 4=-3.79769e-005  A 6=-2.23452e-006  A 8=-1.20963e-008
第17面
K = 0.00000e+000  A 4= 8.38291e-005  A 6=-3.00299e-006
各種データ
ズーム比     75.00
広角     中間     望遠
焦点距離       3.69    31.99   276.75
Fナンバー      3.30     5.70     6.90
半画角        38.45     6.91     0.80
像高           2.93     3.88     3.88
レンズ全長    99.29   136.45   164.06
BF             2.55     3.60     2.87
d 6            0.61    50.34    78.51
d14           43.09     3.89     0.62
d15            3.56     6.10     0.46
d22            2.45    13.73    20.59
d25            2.58     9.40    22.29
d28            8.37    13.29     2.61
d30            1.49     2.54     1.82
ズームレンズ群データ
群  始面    焦点距離
1    1      98.74
2    7      -9.02
3   16      18.07
4   23     -29.12
5   26      21.06
6   29     -98.48
【００７８】
【表１】
0006436675.tif 000002
【００７９】
次に、各実施例に示したようなズームレンズを撮影光学系として用いたデジタルスチルカメラの実施形態について、図１７を用いて説明する。
【００８０】
図１７において、２０はカメラ本体、２１は実施例１〜８で説明した、いずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【００８１】
このように本発明のズームレンズをデジタルスチルカメラ等の撮像装置に適用することにより、小型かつ高倍率であり、高い光学性能を有する撮像装置を得ることができる。
【符号の説明】
【００８２】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
ＬＲ  後群
ＳＰ  絞り
Ｇ  ガラスブロック
ＩＰ  像面
【図１】
0006436675.tif 000003
【図２】
0006436675.tif 000004
【図３】
0006436675.tif 000005
【図４】
0006436675.tif 000006
【図５】
0006436675.tif 000007
【図６】
0006436675.tif 000008
【図７】
0006436675.tif 000009
【図８】
0006436675.tif 000010
【図９】
0006436675.tif 000011
【図１０】
0006436675.tif 000012
【図１１】
0006436675.tif 000013
【図１２】
0006436675.tif 000014
【図１３】
0006436675.tif 000015
【図１４】
0006436675.tif 000016
【図１５】
0006436675.tif 000017
【図１６】
0006436675.tif 000018
【図１７】
0006436675.tif 000019